(57)【特許請求の範囲】
【請求項１】
建築物の一部を構成する構造体と、その屋内側に設置される面板と、の間に設けられ、
面板を構造体に取り付ける取付部材において、
前記面板を設置する設置面と、前記構造体に固定する係止面と、設置面と係止面との間に形成される屈曲部と、を備え、
前記設置面は、幅方向よりも軸方向の方が長い帯状であり、
前記屈曲部は、前記設置面の幅方向両端側に設けられるとともに、屈曲方向が反転する第１折返し部と第２折返し部を有し、
前記設置面を上面とすると、前記屈曲部は設置面から垂下するように前記第１折返し部、第２折返し部の順で形成され、かつ、第１折返し部は幅方向内側に折り返され、第２折返し部は幅方向外側に折り返されており、
前記係止面は、前記第２折返し部の外側端部に連続して設けられるとともに、前記設置面と略平行であり、
前記屈曲部の弾性変形によって、前記構造物からの音を低減させ得ることを特徴とする面板取付部材。
【請求項２】
前記第１折返し部と第２折返し部とが接続する反曲点から前記設置面までの第１間隔と、反曲点から前記係止面までの第２間隔と、のうちどちらか一方を他方よりも短くすることで、第１折返し部内又は第２折返し部内に狭隘隙間部が形成されたことを特徴とする請求項１記載の面板取付部材。
【請求項３】
前記狭隘隙間部内に、弾性体からなる緩衝部材を挟持したことを特徴とする請求項２記載の面板取付部材。
【請求項４】
前記第１折返し部と第２折返し部とが接続する反曲点付近に、軸方向に延びる細長孔が延設されたことを特徴とする請求項１乃至請求項３のいずれかに記載の面板取付部材。
【請求項５】
建築物の一部を構成する構造体の屋内側に設置される面板と、構造体と面板との間に設けられる面板取付部材と、で構成される内装構造において、
前記面板取付部材は、請求項１乃至請求項４のいずれかに記載の面板取付部材であって、前記係止面で前記構造体に固定されるとともに前記設置面に前記面板を設置するものであり、
前記構造体に、複数の前記面板取付部材が略平行に固定され、これら面板取付部材に前記面板が設置され、
前記面板取付部材の屈曲部の弾性変形によって、構造物からの音を低減させ得ることを特徴とする内装構造。
【発明の詳細な説明】
【技術分野】
【０００１】
本願発明は、木造住宅に代表される建築物の屋内側に設置される内壁に関するものであり、より具体的には、床や構造壁や柱など（以下、これらを総称して「構造体」という。）に、内壁板などの面板を取り付けるための取付部材、及びこの取付部材を利用した内装構造に関するものである。
【背景技術】
【０００２】
直上階からの騒音は、かねてから建築物における大きな問題のひとつであった。建築物の場合、空気伝搬音を除き、下階で受ける騒音はそのほとんどが固体音によるものであるといっても過言ではない。この固体音を軽減する（つまり減衰させる）ことが従来から課題となっていた。
【０００３】
固体音とは、固体に衝撃を与えたときに固体が振動し、その振動の結果この固体の中を伝搬する波によって生ずる音のことである。この固体音が室内に放出され、空気を振動させることで、騒音として人に伝わる。例えば、上階で人が飛び跳ねると、これが床に対する衝撃となって床の中を固体音が伝搬し、この固体音が階下に放出されることで騒音が生ずる。
【０００４】
また固体音は、衝撃を与えた固体（例えば構造体）から直接放出されて騒音となる一次固体音と、衝撃を与え構造体からさらに他の構造体を伝搬した後に放出されて騒音となる二次固体音に、大別される。固体音のうち二次固体音は、連続するあらゆる構造体の中を伝搬するためその伝搬経路が複雑であり、しかも低周波成分が卓越して波長が大きいことから、これを減衰させることは極めて困難であった。
【０００５】
騒音を低減する課題を解決すべくこれまでも種々の提案がなされており、たとえば以下に示す特許文献１も、建物の上階から下階へ伝わる騒音を問題としてこれを解決する対策技術を提案している。
【先行技術文献】
【特許文献】
【０００６】
【特許文献１】特開２０１０−２６５６１９号公報
【発明の概要】
【発明が解決しようとする課題】
【０００７】
特許文献１は、床材を支える床梁にダンパーを取り付けるとともに、床梁と床梁の間に吸音材を設ける床構造を提案するものである。このダンパーは上下に分かれた２つのダンパー部材からなり、これら２つのダンパー材の固有振動数を同一とすることで床振動の抑制を図っている。
【０００８】
しかしながら、特許文献１では、分割構造のダンパーを設置する必要があり、その製造や設置に煩雑な手間がかかり、つまり施工にかかる期間やコストが増加するという採用し難い一面がある。さらに、一般的な構造である、野縁と野縁受と吊木の組み合わせで天井板を設置する場合、上階床と天井板との間隔が広くなるため、必ずしもダンパーによる減衰効果と特定しがたい。
【０００９】
本願発明の課題は、従来技術が抱える問題を解消することである。すなわち、構造体（例えば上階の床）に面板（例えば天井板）を取り付けるために必要な部材以外のものは必要とせず、しかも固体音（とくに二次固体音）を減衰させることのできる、取付部材、及びこの取付部材を利用した内装構造を提供することにある。
【課題を解決するための手段】
【００１０】
本願発明は、構造体（例えば上階の床）に面板（例えば天井板）を取り付けるために必要な取付部材に着目してなされたものであり、取付部材の本来の機能である構造体と面板との取付機能のほか、その弾性変形によって固体音を減衰させる騒音低減機能も、兼ね備えたものを提供すべく開発されたものである。
【００１１】
本願発明の面板取付部材は、構造体（建築物の一部を構成する）と面板（多くは構造体の屋内側に設置される）との間に設けられるものであって、面板を構造体に取り付けるために用いられる取付部材である。さらに、面板を設置する設置面、構造体に固定する係止面、設置面と係止面との間に形成される屈曲部を備えており、設置面は幅方向よりも軸方向の方が長い帯状であり、屈曲部は設置面の幅方向両端側に設けられるとともに屈曲方向が反転する第１折返し部と第２折返し部を有し、設置面を上面としたときに屈曲部は設置面から垂下するように第１折返し部〜第２折返し部の順で形成され、かつ第１折返し部は幅方向内側に折り返されて第２折返し部は幅方向外側に折り返されており、係止面は第２折返し部の外側端部に連続して設けられるとともに本体面と略平行であり、主として固体音の振動による屈曲部の弾性変形で構造物からの音を吸収低減させ得るものである。
【００１２】
本願発明の面板取付部材は、反曲点（第１折返し部と第２折返し部とが接続する点）から設置面までの「第１間隔」とし、反曲点から係止面までの「第２間隔」とすると、「第１間隔」と「第２間隔」のうちどちらか一方を他方よりも短くすることで、第１折返し部内又は第２折返し部内に狭隘隙間部を形成したものとすることもできる。この場合、狭隘隙間部内に弾性体からなる緩衝部材を挟持させることもできる。
【００１３】
本願発明の面板取付部材は、反曲点（第１折返し部と第２折返し部とが接続する点）付近に、軸方向に延びる細長孔を延設したものとすることもできる。
【００１４】
本願発明の内装構造は、面板取付部材とで構成される内装構造である。面板取付部材は、請求項１乃至請求項４のいずれかに記載される面板取付部材であって、係止面で構造体に固定されるとともに設置面に面板を設置するものである。そして本願発明の内装構造は、複数の面板取付部材が略平行に構造体に固定され、これら面板取付部材には面板が設置された構造であり、面板取付部材の屈曲部の弾性変形によって構造物からの固体音を低減させ得る構造である。
【発明の効果】
【００１５】
本願発明の面板取付部材と内装構造には、次のような効果がある。
（１）面板取付部材を構成する屈曲部が、曲げ方向が反転する第１折返し部と第２折返し部を有しているので容易に弾性変形し得る。その結果、固体音を減衰させることができ、放射騒音の音圧レベルを低下させることができるので、室内の騒音レベルを減少させるとともに、残響時間を短縮させる。
（２）構造体に面板を取り付けるために必要な部材である面板取付部材以外、他の部材を必要としないので、製造や設置の手間が軽減され、その結果、工期が短縮されるとともにコストも軽減される。
（３）反曲点（第１折返し部と第２折返し部とが接続する点）から設置面までの第１間隔を、反曲点から係止面までの第２間隔よりも小さくして、第１折返し部内に狭隘隙間部を形成する面板取付部材とすれば、構造体と面板との間隔が小さい場合であっても容易に設置することができるうえ、面板を強固に取付部材に固定することが可能である。
（４）第１折返し部（あるいは第１折返し部）内に形成される狭隘隙間部に、弾性体からなる緩衝部材を挟持させれば、さらに固体音を減衰させることができ、放射騒音の音圧レベルをより低下させることができる。
（５）反曲点付近に軸方向に延びる細長孔が延設された面板取付部材とすれば、さらに容易に弾性変形し得るので、より固体音を減衰させることができ、放射騒音の音圧レベルを低下させることが可能となる。
【図面の簡単な説明】
【００１６】
【図１】本願発明の面板取付部材が天井面に設置された状態を下方から見上げた斜視図。
【図２】面板取付部材を幅方向で切った断面図。
【図３】天井面に不陸調整用として設置された受け材に、面板取付材を固定した状態を示す斜視図。
【図４】屈曲部に細長孔を設けた面板取付部材を幅方向で切った断面図。
【図５】第１折返し部内に狭隘隙間部を設けた面板取付部材を幅方向で切った断面図。
【図６】第１折返し部内の狭隘隙間部に緩衝部材を設けた面板取付部材を幅方向で切った断面図。
【図７】天井に形成された内装構造を示す断面図。
【図８】壁に形成された内装構造を示す断面図。
【図９】木造壁組工法における内装構造を示す断面図。
【図１０】吊木で受け材を懸架した場合の木造壁組工法における内装構造を示す断面図。
【発明を実施するための形態】
【００１７】
［実施形態］
本願発明の面板取付部材と内装構造の一実施形態を図に基づいて説明する。
【００１８】
（全体構成）
図１は、本願発明の面板取付部材１が天井面２ａに設置された状態を下方から見上げた斜視図である。ここでいう面板とは、建築物を構成する床や構造壁や柱といった構造体の屋内側に取り付けられる壁板や床板のことであり、また面板取付材１は、天井面２ａに面板を取り付けるためのものである。この図に示すように、面板取付材１は天井面２ａに固定され、面板は面板取付材１に設置され（便宜上この図では面板を省略している）、いわば面板は面板取付材１を介して天井面２ａに取り付けられる。なお本願発明は、構造体に面板を取り付ける面板取付部材１、及び面板取付部材１を用いた内装構造であり、当然ながら構造体が天井２に限定されるわけではないが、便宜上、本実施形態では天井に面板を取り付ける例で説明している。
【００１９】
図１に示すように面板取付部材１は、平面視で概ね四辺形であり、長手方向を有する長尺部材である。以下は便宜上、長手方向を「軸方向」と呼び、この軸方向と直交する方向を「幅方向」と呼ぶこととする。図１では、軸方向を矢印Ｘで、幅方向を矢印Ｙで示している。
【００２０】
図２は、面板取付部材１を幅方向で切った断面図である。なお便宜上、この図では図１とは上下を反転させて表している。図２に示すように面板取付部材１は、中央付近に配置される設置面３と、設置面３の両端側に設けられる２箇所の係止面４と、設置面３とそれぞれの係止面４との間に設けられる２箇所の屈曲部５で形成されている。また、設置面３と係止面４には断面視で概ね直線状の軸線があり、それぞれの軸線は略平行であるが同一直線状には並ばない配置であり、つまり上段（図２では設置面３）と下段（図２では係止面４）といったように、設置面３と係止面４は高さを違えるように配置されている。
【００２１】
図１に示すように面板取付部材１は、２箇所の係止面４を天井面２ａに接触させて天井２に固定される。このとき、あらかじめビス孔６を係止面４の軸方向に所定間隔で設け、これを利用して面板取付部材１を天井面２ａにビス固定することができる。もちろん、これに限らず従来から用いられる公知の固定手段によって、面板取付部材１を天井面２ａに固定することもできる。
【００２２】
また、図１に示すように面板取付部材１のうち設置面３には、幅方向に延びる幅溝部７ａと、幅方向両端側に配置される軸溝部７ｂを設けることもできる。これらを幅溝部７ａや軸溝部７ｂを設けることによって設置面３の断面係数を大きくし、有害な局所的変形を防止することができるので好適である。設置面３に配設された多数の孔または細密な凸凹部は、面板を設置する際に用いられる打付け釘を案内するための打付け孔８である。
【００２３】
一般的に直上階からの騒音は、打撃等によって加えられた衝撃が固体音となって階下に伝えられることで生ずる。より具体的には、加えられた衝撃が、床や周壁などの構造体を固体伝搬し（伝搬速度は秒速数千ｍともいわれる）、構造体から放出された固体音は空気を振動させ、さらに面板を振動させ、結果的に一次固体音として階下（室内）に伝達される。一方、構造体を伝搬した固体音は直接面板に伝わるので、これに伴って面板は振動し、結果的に二次固体音として階下に伝達される。これら一次固体音と二次固体音とが合成され、階下にいる人に騒音となって伝達される。
【００２４】
本願発明では図１や図２に示すような構成、つまり面板取付材１の屈曲部５が弾性変形しやすく、その結果面板が天井に弾性固定されることになるので、一次固体音と二次固体音を低減することができる。すなわち、一次固体音や二次固体音を発生させる面板の微振動は、屈曲部５が弾性変形することで容易に吸収され、放出される騒音は著しく低減される。このように、内装版取付け部において、屈曲部５の弾性変形によって音圧エネルギーを運動エネルギーに変換することで固体音を低減させる技術は、従来にはなかったもので、とくに二次固体音を低減させることができるという効果はこれまでに見られなかった極めて有利な効果である。
【００２５】
なお面板取付材１は、天井面２ａに直接固定する場合に限らず、天井面２ａに設置された他の部材を介して固定することもできる。図３は、天井面２ａに不陸調整用として設置された受け材９に、面板取付材１を固定した状態を示す斜視図である。このような構成とすることで、仮に天井面２ａに不陸があっても、受け材９の効果で、面板取付材１を平坦に取り付けることが可能となり、しかも床から面板までの距離があるため一次固体音のうちの短周期成分を低減させることができるという効果も期待できる。なお受け材９は、溝形鋼を用いることができるが、これに限らず、天井面２ａの不陸を調整できて所定の空間を設けることができるものであれば種々の材料を使用することができる。
【００２６】
また、階下における直接の音源である面板の振動を抑える、つまり音圧レベル（音のエネルギーを示すｄＢ（Ｃ）値）を抑制することは、騒音レベル（人が聴覚により感じる音の量でｄＢ（Ａ）値）を減少させることに加えて、特に低周波音領域で残響時間を短縮できるという効果もある。このような現象は、「ガラス版などで板振動を行う壁体でも低音域から中音域にかけて残響時間が減少する（松井昌幸著『音響材料（上）』：彰国社）」と言われていることからも理解できる。従来吸音材量として用いられていたグラスウールなどの多孔質材料は、もっぱら高周波音吸収用として利用されており、低周波音を吸収することは難しかった。しかしながら本願発明では、固体音のうち低周波音といわれる二次固体音を低減させることができるので、これまでにはない防音技術を提供できることとなる。
【００２７】
以下、構成要素ごとに詳細に説明する。
【００２８】
（面板取付部材）
まず、図２及び図４〜図６に基づいて、面板取付部材１について説明する。面板取付部材１は、図１に示すように平面視では、幅方向（矢印Ｙ）に比べて軸方向（矢印Ｘ）に長い略四辺形を呈している。また面板取付部材１は、図２に示すように断面視では、中央にひとつの設置面３が配置され、その両脇にあって設置面３とは段差がつくように２つの係止面４が設けられ、設置面３と係止面４との間にはそれぞれ屈曲部５が形成されている。これら設置面３と係止面４と屈曲部５は、ひとつの帯板から一体の物として加工することができる。もちろんそれぞれ別体として形成し、後に溶接等により一体とすることもできるが、その場合、屈曲部５を介して全体が一体となって弾性挙動するように製作する必要がある。また面板取付部材１は、弾性材（強度があり弾性変形しやすい材料）で作成されることが望ましく、少なくとも屈曲部５は上記弾性材からなることとするのがよい。
【００２９】
１．設置面
設置面３は、面板を設置するためのものであり、全体的に平坦な平面で形成されている。前述したとおり設置面３には、有害な局所的変形を防止する幅溝部７ａ（図１）や軸溝部７ｂ（図１）を設けることもできるし、面板設置用の打付け釘を案内するための打付け孔８（図１）または細密な凸凹部を多数設けることもできる。
【００３０】
２．係止面
係止面４は、面板取付部材１を天井面２ａに固定するためのものであり、設置面３同様全体的に平坦な平面で形成されている。図２に示すように係止面４は、設置面３の幅方向における両端部側にそれぞれ１箇所ずつ設けられており、間に屈曲部５を設けるため設置面３とは段差が設けられている。具体的には、設置面３が略水平かつ上面となるように面板取付部材１を置くと、係止面４と設置面３との間には高低差（この高低差に屈曲部５が設けられる）が生じ、設置面３が上段で係止面４が下段といった状態になる。また、天井面２ａと面板が略平行配置されるように、設置面３と係止面４は略平行配置となっている。
【００３１】
図２に示すように、係止面４には凸溝１０を設けることもできる。この凸溝１０は、断面係数を大きくして、外力による生ずる応力を軽減することを目的として設けられる。図２では、片側の係止面４につき２箇所の凸溝１０（両側で４箇所）が設けられているが、その設置箇所数や形状は任意に設計できる。また図２に示すように、係止面４の端部を略１８０度反転させた曲げ縁部１１を設け、端部補強を図ることもできる。
【００３２】
３．屈曲部
屈曲部５は、設置面３と係止面４との間に設けられるものであって、ここでの弾性変形によって例えば面板の振動を吸収するものである。図２に示すように屈曲部５は、設置面３の幅方向における両端部側に連続して設けられ、さらに係止面４とも連続している。言い換えれば、屈曲部５の一端は設置面３と連続しており、屈曲部５の他端は係止面４と連続している。
【００３３】
また図２に示すように、屈曲部５は第１折返し部５ａと第２折返し部５ｂによって構成されている。この第１折返し部５ａは、設置面３と連続する側の端部に設けられ、断面視で略半円形を呈している。一方、第２折返し部５ｂは、係止面４と連続する側の端部に設けられ、やはり断面視で略半円形を呈している。
【００３４】
第１折返し部５ａと第２折返し部５ｂは、ともに断面視で半円形を呈しているが、両者の屈曲方向は反転しており、つまり、第１折返し部５ａは設置面３の幅方向内側に中心を持つ半円形であり、第２折返し部５ｂは設置面３の幅方向外側に中心を持つ半円形である。なお、以下は便宜上、図２のような第１折返し部５ａの形状を「外カーブ」と、第２折返し部５ｂの形状を「内カーブ」と呼ぶ。
【００３５】
図２では、設置面３の軸線と第１折返し部５ａの軸線（円の接線方向）とが略同一直線状にあり、係止面４の軸線と第２折返し部５ｂの軸線（円の接線方向）とが略同一直線状にある。しかも、第１折返し部５ａと第２折返し部５ｂが接続する点（言い換えれば、第１折返し部５ａから第２折返し部５ｂに変化する点）である反曲点５ｃでは、第１折返し部５ａの軸線と第２折返し部５ｂの軸線とが略同一直線状にある。しかしながら本願発明の面板取付部材１を構成する屈曲部５は、必ずしもこのような厳密な形状とする必要はなく、さらに第１折返し部５ａと第２折返し部５ｂが半円である必要もなく、弾性変形しやすいように、内側に折り返される（外カーブの）第１折返し部５ａと、外側に折り返される（内カーブの）第２折返し部５ｂとが設けられればよい。
【００３６】
屈曲部５は外部から受ける振動によって破断しない程度の強度が求められる一方で、弾性変形を生じやすいという機能も求められる。そこで、屈曲部５にスリット（以下、「細長孔１２」という。）を設けることができる。図４は、屈曲部５に細長孔１２を設けた面板取付部材１を幅方向で切った断面図である。この図に示すように細長孔１２は、第１折返し部５ａと第２折返し部５ｂが接続する反曲点５ｃ付近に設けられるものであり、軸方向に延びる細長形状を呈している。このように、反曲点５ｃ付近に細長孔１２を設けるのは、反曲点５ｃ付近は他に比べて生じる変形量が小さく、最も強度上問題とならない位置だからである。なお細長孔１２は、面板取付部材１の軸方向における端部から端部まで一連して形成することもできるし、断続的に複数箇所に形成することもできる。
【００３７】
屈曲部５を構成する第１折返し部５ａと第２折返し部５ｂは、それぞれ断面視で折り返した形状となっており、つまり折返しによって内部に隙間部ができる。図４では、第１折返し部５ａによって形成される第１隙間部５１と、第２折返し部５ｂによって形成される第２隙間部５２を示している。第１隙間部５１や第２隙間部５２が大きいスペースとなるほど、それぞれの折返しの曲率が小さくなり、屈曲部５は弾性変形を生じやすくなる。
【００３８】
しかしながら他方では、隙間部のスペースが大きいほど屈曲部５の高さは大きくなり、面板取付部材１の厚さも大きくなる。面板取付部材１を設置する場所によっては、面板取付部材１の厚さを小さくしたい場合もある。そこで、第１折返し部５ａ又は第２折返し部５ｂのどちらか一方の折返しの曲率を大きくして、つまり第１隙間部５１又は第２隙間部５２のどちらか一方のスペースを小さくして、面板取付部材１の厚さを小さくすることができる。この場合でも、第１隙間部５１又は第２隙間部５２のどちらか一方は、図２や図４に示す隙間部と同等なので、弾性変形を生じやすいという機能は大きく損なわれない。
【００３９】
図５は、第１折返し部５ａ内に狭隘隙間部５１ｓを設けた面板取付部材１を幅方向で切った断面図である。この図に示すように、第１折返し部５ａの折返しの曲率を大きくして、第１折返し部５ａ内に狭隘隙間部５１ｓを設けると、面板取付部材１の厚さｔを著しく低減できる。もちろん、第１折返し部５ａ内に狭隘隙間部５１ｓを設けるのに代えて、第２折返し部５ｂ内に狭隘隙間部を設けることもできる。
【００４０】
図６は、第１折返し部５ａ内の狭隘隙間部５１ｓに緩衝部材１３を設けた面板取付部材１を幅方向で切った断面図である。この図に示すように、第１折返し部５ａ内に狭隘隙間部５１ｓを設けた結果、屈曲部５の弾性変形性能がやや損なわれたことを補うために、緩衝部材１３を設けることができる。この緩衝部材１３は、吸音性能を発揮するためにゴムなどの弾性材であることが望ましく、例えばゴム状弾性シートが適している。また、緩衝部材１３は、狭隘隙間部５１ｓの中に挟持させるとよい。第２折返し部５ｂ内に狭隘隙間部を設けた場合は、その中に挟持させるとよい。また、狭隘隙間部５１ｓに限らず、図２や図４に示す第１隙間部５１や第２折返し部５ｂ内に、緩衝部材１３を設置することもできる。このように、面板取付部材１に緩衝部材１３を設けると、サージング（共振時に生じる一種の騒音）を防止し得るという効果が期待できる。
【００４１】
（内装構造）
つぎに、図７〜図１０に基づいて、面板取付部材１を用いた内装構造について説明する。図７は、天井２に形成された内装構造を示す断面図である。この図に示すように、本願発明の内装構造は、前記した本願発明の面板取付部材１と、面板１４によって構成される。
【００４２】
通常、多数の面板取付部材１は天井２に設置されており、これらの面板取付部材１も略平行に配置され、図７では紙面に対して垂直方向に平行して並べられている。またこの図では、面板取付部材１が２箇所の係止面４を天井面２ａに接触させ、ビス１５によって固定されているが、これに限らず従来から用いられる公知の固定手段によって固定できるのは前述のとおりである。
【００４３】
通常、多数の面板取付部材１が天井２に設置され、これらの面板取付部材１は略平行に配置され、図７では紙面に対して垂直方向に平行して並べられている。またこの図では、面板取付部材１が２箇所の係止面４を天井面２ａに接触させ、ビス１５によって固定されているが、これに限らず従来から用いられる公知の固定手段によって固定できるのは前述のとおりである。
【００４４】
図７では紙面に対して垂直方向（奥行方向）に、面板取付部材１の軸方向が向くように配置されているが、面板取付部材１の配置方向は特に限定されるものではなく、例えば図７で、面板取付部材１の軸方向が紙面上の左右方向に向くように配置することもできる。通常、面板１４も軸方向に長い長尺部材であり、この場合、面板取付部材１の軸方向と面板１４の長手方向が直交するように配置される。例えば図７の場合では、面板取付部材１の軸方向が紙面に対して垂直方向に配置され、面板１４の長手方向が紙面上の左右方向に向くように配置される。もちろん、面板１４の幅が広い場合、あるいは面板取付部材１の配置間隔が短い場合など、面板取付部材１の軸方向と面板１４の長手方向が平行するように配置することもできる。面板１４は、打付け釘などによって、面板取付部材１の設置面３（図７では面板取付部材１の下面）に設置される。
【００４５】
図７では、壁１６の屋内側に面板１７が取り付けられ、天井２に取り付けられた面板１４との接合部では、廻り縁１８が設置されている。このように廻り縁１８を使用して見切っておくと、音響的、意匠的にも好適である。
【００４６】
図８は、壁１６に形成された内装構造を示す断面図である。この図に示すように、本願発明の内装構造は、天井に限らず壁１６をはじめとする種々の構造体に形成することができる。壁１６に内装構造を形成する場合、水平方向または鉛直方向に面板取付部材１を平行配置し、２箇所の係止面４を壁１６表面に接触させ、ビス１５等によって固定する。そして、面板１７を鉛直方向または水平方向に配置し、面板取付部材１の設置面３に接触させて、打付け釘などによって面板取付部材１に設置する。この場合も、天井２に取り付けられた面板１４と面板１７との接合部では、廻り縁１８を設置することが望ましい。
【００４７】
図９は、木造壁組工法における内装構造を示す断面図である。本願発明の内装構造は、木造壁組工法（いわゆる２×４工法）による木造建築物でも実施することができる。木造壁組工法による木造建築物であっても、面板取付部材１の構成は図２及び図４〜図６に基づいて説明したとおりであり、面板取付部材１の配置方法や固定方法、あるいは面板１４の配置方法や設置方法は、図７〜図８に基づいて説明した内容と同様である。また、天井２に取り付けられた面板１４と面板１７との接合部で、廻り縁１８を設置することが望ましいことも同じである。
【００４８】
木造壁組工法で特徴的なのは、本工法特有の梁材１９に係止面４を固定することが望ましいことである。これにより、面板取付部材１を堅固に天井面２ａに固定することができる。なお、梁材１９の軸方向と面板取付部材１の軸方向が直交するように配置される場合は、梁材１９と係止面４が交差する箇所で固定し、図９のように梁材１９の軸方向と面板取付部材１の軸方向が略平行するように配置される場合は、左右２箇所ある係止面４のうちどちらか一方を梁材１９の直下となるように配置して固定するのがよい。
【００４９】
図１０は、吊木２０で受け材９を懸架した場合の木造壁組工法における内装構造を示す断面図である。この図に示すように、天井面２ａに代えて、吊木２０で懸架した受け材９に面板取付部材１を固定することもできる。この場合、天井面２ａの不陸を調整できるうえ、天井面２ａから面板１４まで距離があるため一次固体音を低減させることができるという効果も期待できる。なお、受け材９は吊木で懸架してもよく、また受け材９として溝形鋼を用いることができるが、これに限らず種々の材料を使用することができるのは前記したとおりである。
【産業上の利用可能性】
【００５０】
本願発明の面板取付部材と内装構造は、マンションなどの集合住宅やオフィスビルで利用できるほか、校舎や倉庫などあらゆる多層階の建築物で利用することが可能である。放送施設や映画館、コンサートホールなど固体音による騒音が極めて妨げとなる建築物には、とくに有効である。
【符号の説明】
【００５１】
１      面板取付部材
２      天井
２ａ    天井面
３      設置面
４      係止面
５      屈曲部
５ａ    第１折返し部
５ｂ    第２折返し部
５ｃ    反曲点
５１    第１隙間部
５１ｓ  （第１折返し部内の）狭隘隙間部
５２    第２隙間部
６      ビス孔
７ａ    幅溝部
７ｂ    軸溝部
８      打付け孔
９      受け材
１０    凸溝
１１    曲げ縁部
１２    細長孔
１３    緩衝部材
１４    （天井に取り付けられる）面板
１５    ビス
１６    壁
１７    （壁に取り付けられる）面板
１８    廻り縁
１９    梁材
２０    吊木
Ｘ      （面板取付部材の）軸方向
Ｙ      （面板取付部材の）幅方向
【図１】
0005757021.tif 000002
【図２】
0005757021.tif 000003
【図３】
0005757021.tif 000004
【図４】
0005757021.tif 000005
【図５】
0005757021.tif 000006
【図６】
0005757021.tif 000007
【図７】
0005757021.tif 000008
【図８】
0005757021.tif 000009
【図９】
0005757021.tif 000010
【図１０】
0005757021.tif 000011